(57)【特許請求の範囲】
【請求項１】
著作物と、該著作物を一意に特定可能な識別情報と、該著作物に対応した著作権情報とを内包した著作物ファイルを記憶するための著作物ファイル記憶手段と、
ユーザが著作物を識別するための任意の別名情報を設定する別名設定手段と、
前記別名設定手段により設定された前記別名情報と該別名情報によってユーザに識別される著作物を特定する識別情報とを内包した別名ファイルを記憶するための別名ファイル記憶手段と、
著作物を一意に特定可能な情報を該著作物に対応した著作権情報に基づいて生成する別名情報生成手段と、
前記別名ファイル記憶手段に記憶された別名ファイルに内包された別名情報を表示領域内に表示する表示手段とを具備し、
前記別名情報生成手段は前記表示領域に応じたサイズの情報を生成し、
前記別名設定手段は前記別名情報生成手段により生成された情報を前記著作物の別名情報として設定する
ことを特徴とする著作物ファイル管理装置。
【請求項２】
前記表示領域のサイズは可変である
ことを特徴とする請求項１に記載の著作物ファイル管理装置。
【請求項３】
前記別名情報生成手段は、前記表示領域における表示に使用する文字のポイント数を変更することにより前記情報のサイズを変更する
ことを特徴とする請求項１に記載の著作物ファイル管理装置。
【請求項４】
前記別名情報生成手段は、前記表示領域の幅に応じた文字数の情報を生成することにより前記情報のサイズを変更する
ことを特徴とする請求項１に記載の著作物ファイル管理装置。
【発明の詳細な説明】
【０００１】
【発明の属する技術分野】
本発明は、著作物に対応した著作権情報（著作者やタイトル等）を該著作物と共に内包した著作物ファイルを管理するための著作物ファイル管理装置に関する。
【０００２】
【従来の技術】
従来より、コンテンツをディジタルデータの形式で配信し、受信側で利用する様々な配信システムが開発・提供されている。この種の配信システムとして広く普及しているものの一つがインターネットである。インターネットでは、コンテンツはクライアントの役割を果たすコンピュータで利用可能なファイル形式で提供されている。
【０００３】
また、インターネットの分野では、著作権を有する著作物の配信において著作権を保護するための様々な仕組みが提案されている。例えば、著作物及び当該著作物に対応した著作権情報を内包した著作物ファイルを配信し、受信側における著作物ファイルの改変を禁じることで著作権を保護することも提案されている。
【０００４】
【発明が解決しようとする課題】
ところで、インターネットは基本的に漢字等の２バイトコードを正しく通過させる仕様にはなっていないことから、著作物ファイルのファイル名も英数半角文字等の１バイトコードで表記されることが予想される。この場合、著作物ファイルの受信側ではファイル名から著作物の内容を特定することは、受信した著作物ファイルの数が増えるにつれて困難になってくる。もちろん、インターネットにおいて２バイトコードを使用する技術も広く普及していることから、著作物ファイルのファイル名を漢字で表記することも技術的には可能と考えられるが、受信側では著作物ファイルの改変が禁じられているため、予め設定されたファイル名をユーザが認識し易い名称に変更できないという欠点が残る。
【０００５】
なお、著作物ファイルには著作者やタイトル等の著作権情報が内包されていることから、この著作権情報を著作物ファイルに対応付けて一覧表示する機能を受信側に備えさせれば、著作物と著作物ファイルとの関係をユーザが把握し易くなる。しかし、受信側における著作物ファイルの改変は禁じられているため、ユーザは固定的な著作権情報に基づいて著作物を判別することになる。すなわち、この場合でも、著作物の判別に用いる情報をユーザが任意に設定することができない点は改善されない。
【０００６】
また、近年、携帯電話機にブラウザを搭載し、インターネットのＷＷＷ（World Wide Web）上のコンテンツを携帯電話機から利用可能としたサービスが提供されている。この種の携帯電話機が著作物ファイルの受信側となる場合、著作権情報が長すぎると、著作物の一覧表示の際に著作権情報が表示画面内に納まりきらずにスクロール表示を要することになり、一覧性が著しく低下してしまう。もちろん、著作権情報をユーザが任意に設定できれば一覧性の向上が期待されるが、この設定は著作物ファイルの改変を伴ってしまう。
【０００７】
本発明は上述した事情に鑑みて為されたものであり、著作物ファイルを改変することなく、著作物ファイルの管理にかかる手間を削減することができる著作物ファイル管理装置を提供することを目的としている。
【０００８】
【課題を解決するための手段】
上述の課題を解決するために、本発明に係る著作物ファイル管理装置は、著作物と、該著作物を一意に特定可能な識別情報と、該著作物に対応した著作権情報とを内包した著作物ファイルを記憶するための著作物ファイル記憶手段と、ユーザが著作物を識別するための任意の別名情報を設定する別名設定手段と、前記別名設定手段により設定された前記別名情報と該別名情報によってユーザに識別される著作物を特定する識別情報とを内包した別名ファイルを記憶するための別名ファイル記憶手段と、著作物を一意に特定可能な情報を該著作物に対応した著作権情報に基づいて生成する別名情報生成手段と、前記別名ファイル記憶手段に記憶された別名ファイルに内包された別名情報を表示領域内に表示する表示手段とを具備し、前記別名情報生成手段は前記表示領域に応じたサイズの情報を生成し、前記別名設定手段は前記別名情報生成手段により生成された情報を前記著作物の別名情報として設定することを特徴としている。
【０００９】
上記構成において、前記表示領域のサイズを可変にしてもよい。
【００１０】
また、上記構成において、前記別名情報生成手段は、前記表示領域における表示に使用する文字のポイント数を変更することにより前記情報のサイズを変更するようにしてもよい。
【００１１】
また、上記構成において、前記別名情報生成手段は、前記表示領域の幅に応じた文字数の情報を生成することにより前記情報のサイズを変更するようにしてもよい。
【００１４】
【発明の実施の形態】
以下、図面を参照して、本発明の実施形態について説明する。なお、本発明は、係る実施形態に限定されず、その技術思想の範囲内で種々の変更が可能である。
【００１５】
Ａ：実施形態の構成
Ａ−１：著作物配信システム１の全体構成
図１は本発明の第１実施形態による携帯電話機（著作物ファイル管理装置）ＭＳを用いた著作物配信システム１の構成を示すブロック図である。この著作物配信システム１はＷＷＷの利用を携帯電話機ＭＳに許容したシステムであり、既存のシステムと異なる点は、既存の携帯電話機に代えて著作物ファイルを管理可能な携帯電話機ＭＳを採用した点のみである。
【００１６】
同図において、携帯電話機ＭＳは移動パケット通信網ＭＰＮのパケット通信サービスを受ける携帯電話機であり、移動パケット通信網ＭＰＮ及び図示せぬ移動電話網に無線接続される。移動電話網は一般的な移動電話の通話サービスを提供する網であり、携帯電話機ＭＳは当該通話サービスを受けることができる。携帯電話機ＭＳの詳細な機能及び構成については後述する。
【００１７】
移動パケット通信網ＭＰＮは、複数の基地局ＢＳ、複数のパケット加入者処理装置ＰＳ、ゲートウェイサーバＧＷＳ、及びこれらを接続する通信回線によって構成されている。
【００１８】
基地局ＢＳは、地上を例えば半径５００ｍ等の範囲で分割した所定間隔で配置されており、各々が形成する無線ゾーンに在圏した携帯電話機ＭＳとの間で無線通信を行う。
【００１９】
パケット加入者処理装置ＰＳは、複数の基地局ＢＳを収容するパケット加入者交換局に備えられたコンピュータシステムであり、携帯電話機ＭＳからのパケット交換要求を受け付けるとともに、受け付けたパケットを他のパケット加入者処理装置ＰＳ及び配下の基地局ＢＳの少なくとも一方を介して宛先の携帯電話機ＭＳへ中継する。
【００２０】
ゲートウェイサーバＧＷＳは、移動パケット通信網ＭＰＮとインターネットＩＮＥＴ等の他網とを相互接続するための移動パケット関門中継交換局に備えられたコンピュータシステムであり、ネットワーク間で異なる通信プロトコルの変換を行う。ここでいう通信プロトコルの変換とは、具体的には、移動パケット通信網ＭＰＮが従う移動パケット通信網用の伝送プロトコルと、インターネットＩＮＥＴが従う伝送プロトコルとの相互変換をいう。
【００２１】
なお、インターネットＩＮＥＴが従う伝送プロトコルには、ネットワーク層及びトランスポート層のＴＣＰ／ＩＰ（Transmission Control Protocol/Internet Protocol）とこのＴＣＰ／ＩＰ上で実現されるＨＴＴＰ（HyperText Transfer Protocol）等のプロトコルが含まれており、移動パケット通信網ＭＰＮが従う伝送プロトコルには、ＴＣＰ／ＩＰを簡素化したプロトコル（以後、ＴＬ）とＨＴＴＰに相当するプロトコル（以後、ＡＬ）とが含まれている。すなわち、携帯電話機ＭＳはＡＬ上でＷＷＷを利用することになる。
【００２２】
また、ゲートウェイサーバＧＷＳは、携帯電話機ＭＳからＨＴＴＰのＧＥＴ要求を受け取ると、当該ＧＥＴ要求に含まれるＵＲＬ（Uniform Resource Locator）を調べ、当該ＵＲＬがインターネットＩＮＥＴ上の一般的なＵＲＬである場合には、インターネットＩＮＥＴへ当該ＧＥＴ要求を転送し、このＧＥＴ要求に対応してインターネットＩＮＥＴから送信されてきた応答を当該携帯電話機ＭＳへ返送する。なお、ＧＥＴ要求に含まれるＵＲＬが自身内のリソース位置を示すものの場合には、ゲートウェイサーバＧＷＳは、当該ＧＥＴ要求に対応して該当リソースを携帯電話機ＭＳへ返送する。
【００２３】
ＩＰサーバＷはインターネットＩＮＥＴに接続されたサーバであり、ＷＷＷを利用するクライアントに対してＷＷＷサービスを提供する。具体的には、ＩＰサーバＷは、インターネットＩＮＥＴ経由でＨＴＴＰのＧＥＴ要求を受け取ると、当該ＧＥＴ要求に含まれるＵＲＬで特定されるリソース（本実施形態では著作物ファイル）を返送する。
【００２４】
Ａ−２：携帯電話機ＭＳの構成
図２は携帯電話機ＭＳのハードウェア構成を示すブロック図である。
この図に示すように、携帯電話機ＭＳは、基地局ＢＳとの無線通信を行う送受信部（例えばアンテナ、無線部、送信機、受信機等を有する）１１、音を入力するための集音部（例えばマイク）１２、発音するための発音部（例えば音源やスピーカ等から構成される）１３、数字入力、文字入力等の入力操作が行われる、キーパッド等を備えた入力部１４、所定サイズの表示領域を有する液晶ディスプレイ１５、これら各部を制御する制御部１６を内蔵している。
【００２５】
制御部１６は各種制御を行うＣＰＵ（Central Processing Unit）１６１と、ＣＰＵ１６１に実行されるブラウザや、ファイルの管理プログラム、制御プログラム等のソフトウェアや、ゲートウェイサーバＧＷＳとの接続に必要な情報等を格納したＲＯＭ（Read Only Memory）１６２と、受信した著作物ファイルや後述の既表示リスト、音声通話時に利用される情報（例えば電話帳データ）等を格納するＳＲＡＭ(Static Random Access Memory)１６３とを内蔵しており、図示せぬ電源が投入されると、ＣＰＵ１６１は、ＲＯＭ１６２に格納されたソフトウェアを読み出して実行し、ＲＯＭ１６２、ＳＲＡＭ１６３、各部１１〜１４、及び液晶ディスプレイ１５を制御する。
【００２６】
携帯電話機ＭＳは、著作物ファイルを受信する際には、まず、ＣＰＵ１６１がＲＯＭ１６２に格納されたブラウザを読み出し、当該ブラウザを実行することにより、ＲＯＭ１６２に格納されたホームＵＲＬ（最初にアクセスすべきゲートウェイＧＷＳ上のリソース位置）からＨＴＭＬデータを取得し、このデータに基づいて、液晶ディスプレイ１５に対話画面を表示させる。ユーザは、この対話画面からＷＷＷの利用を開始し、所望のＩＰサーバＷから所望の著作権ファイルを受信する。
【００２７】
Ａ−３：携帯電話機ＭＳの機能構成
以下、ＣＰＵ１６１が管理プログラムを実行し、各部を制御することによって実現される携帯電話機ＭＳの機能構成について説明するが、前述のように、携帯電話機ＭＳが従来の携帯電話機と大きく異なる点は著作権ファイルの管理に係る点のみであることから、この点についてのみ、携帯電話機ＭＳの機能構成を説明する。
【００２８】
図３は携帯電話機ＭＳの一部の機能構成（著作権ファイルの管理に係る機能構成）を示すブロック図であり、この図において、２１は管理プログラムが提供する指示入力用のユーザインタフェースである指示入力部であり、ユーザが入力した別名設定指示や削除指示、連鎖削除指示、連鎖削除禁止指示、一覧表示指示などの各種の指示を出力する。
【００２９】
２２は移動パケット通信網ＭＰＮ経由で受信した著作物ファイルを記憶した著作物ファイル記憶部、２３は著作物ファイル記憶部２２に記憶された著作物ファイルに対応した別名ファイルを指示入力部２１から出力された別名設定指示に従って生成する別名設定部、２４は別名設定部２３により生成された別名ファイルを記憶する別名ファイル記憶部であり、上記の別名設定指示は元になる著作物ファイルを特定する情報（例えばファイル名）と当該著作物ファイルに内包された著作物に対する別名タイトルを指定する情報（例えば別名タイトル名）とを含んでいる。
【００３０】
ここで、著作物ファイル及び別名ファイルの論理的なデータ構造について、例を挙げて説明する。
図４は携帯電話機ＭＳに管理される著作物ファイルの論理的なデータ構造例を示す概念図であり、この図に示すように、著作物ファイルはファイルの書誌的な情報を格納するためのファイル書誌情報領域ＦＨとデータの実体を格納するためのファイル本体情報領域ＦＢから構成されている。ファイル書誌情報領域ＦＨにはファイルの種類を示すファイル種類識別子を格納するためのファイル種類識別子領域ＦＣやファイル名を格納するためのファイル名領域ＦＮ等が設けられている。
【００３１】
一方、ファイル本体情報領域ＦＢは、著作物を格納するための著作物本体情報領域ＲＢと当該著作物に対応した著作権情報を格納するための著作権情報領域ＲＨから構成されており、著作権情報領域ＲＨには更に、著作物を一意に識別可能な著作物識別情報を格納するための著作物識別情報領域ＯＩや著作物のタイトルを格納するためのタイトル領域ＯＴ等が設けられている。
【００３２】
なお、著作物ファイルのファイル種類識別子領域ＦＣに格納されるファイル種類識別子と別名ファイルのファイル種類識別子領域ＦＣに格納されるファイル種類識別子とは相異なるように設定されている。
【００３３】
また、図５は携帯電話機ＭＳに使用される別名ファイルの論理的なデータ構造例を示す概念図であり、この図に示す別名ファイルも、著作物ファイルと同様に、ファイル書誌情報領域ＦＨとファイル本体情報領域ＦＢから構成されている。さらに、このファイル書誌情報領域ＦＨには、ファイル種類識別子領域ＦＣやファイル名領域ＦＮ等が設けられている。一方、ファイル本体情報領域ＦＢは、本別名ファイルが対応付けられる著作物に対応した著作物識別情報を格納するための著作物識別情報領域ＡＩや当該著作物に対応付けて設定された別名タイトルを格納するためのタイトル領域ＡＴ等が設けられている。
【００３４】
ここで、著作物ファイルと当該著作物ファイルに対応した別名ファイルとの対応関係について説明する。
図６は著作物ファイルと当該著作物ファイルに対応した別名ファイルとの対応関係の一例を示す図であり、この図に示すように、別名ファイルは、著作物ファイル内の著作物識別子領域ＯＩに格納された著作物識別子と同一の著作物識別子を自ファイルの著作物識別子領域ＡＩに格納することによって当該著作物ファイルに対応付けられる。
【００３５】
再び、図３において、２５は指示入力部２１から出力された削除指示、連鎖削除指示、及び連鎖削除禁止指示に従ってファイルを削除する削除部であり、上記の削除指示及び連鎖削除指示は共に削除対象ファイルを特定する情報（例えばファイル名）を含んでいる。また、削除部２５は削除対象ファイルが著作物ファイルであり、かつ当該著作物ファイルに対応した別名ファイルが別名ファイル記憶部２４に記憶されている場合には、当該別名ファイルを特定するための情報（例えばファイル名）を出力する。
【００３６】
２６は表示部であり、指示入力部２１から出力された一覧表示指示に従って液晶ディスプレイ１５の表示領域に著作物の一覧を表示するとともに、削除部２５から出力された、ファイルを特定するための情報に応じた処理を行う。上記削除部２５と表示部２６が関連する各種処理については、以下に詳細に説明する。
【００３７】
Ａ−４：各種処理
次に、上述の機能構成によって実現される各種処理について図７〜図９を参照して説明する。なお、別名設定指示に従って行われる別名設定処理については、既に説明した通りであることから、重複を避けるために、ここでの説明を省略する。
【００３８】
Ａ−４−１：一覧表示処理
図７は携帯電話機ＭＳによる著作物の一覧表示処理の流れを示すフローチャートである。この図に示すように、指示入力部２１から一覧表示指示が出力されると、表示部２６はＳＲＡＭ１６３の所定領域から構成された既表示リストを初期化する（ステップＳＡ１）。この既表示リストは、後述の対象ファイル処理が既に完了した著作物の著作物識別情報を格納するためのリストであり、初期化されることで、対象ファイル処理が既に完了した著作物は存在しないことを示す。
【００３９】
次に、表示部２６は対象ファイル処理の対象となるファイル（以後、対象ファイル）を特定し、特定した対象ファイルに対象ファイル処理を行う、という処理を対象ファイルの候補が尽きるまで繰り返し、候補が尽きた時点で処理を終了する（ステップＳＡ２、ＳＡ３及びＳＡ４）。なお、上記候補は著作物ファイルと別名ファイルに限られ、ここでは、まず、別名ファイル記憶部２４に記憶された全ての別名ファイルを順に対象ファイルとし、次に、著作物ファイル記憶部２２に記憶された全ての著作物ファイルを順に対象ファイルとする。
【００４０】
図８は上述の対象ファイル処理（ステップＳＡ４）の流れを示すフローチャートである。この図に示すように、対象ファイル処理では、まず、表示部２６が、対象ファイルが別名ファイルであるか否かを判定する（ステップＳＡ４１）。この判定は対象ファイルのファイル種別識別子領域ＦＣの内容を確認することで行われる。
【００４１】
ここで、対象ファイルが別名ファイルである場合には、表示部２６は対象ファイルに対応した著作物ファイルを特定する（ステップＳ４２）。すなわち、表示部２６は、対象ファイルの著作物識別子格納領域ＡＩに格納された著作物識別子と同一の著作物識別子を有する著作物ファイルを著作物ファイル記憶部２２から検索し、該当する著作物ファイルが存在する場合には当該著作物ファイルを特定し、該当する著作物ファイルが存在しない場合には特定を断念する。
【００４２】
次に、表示部２６は対象ファイルの別名タイトル領域ＡＴから別名タイトルを読み出し、対応する著作物ファイルの有無を示す情報とともに表示する（ステップＳＡ４３）。ただし、液晶ディスプレイ１５の表示状態によっては、これらの情報が即時に表示されるとは限らず、ユーザによる画面のスクロール処理によって初めて表示されることもある。すなわち、ここで言う「表示」とは、一覧を表示するために確保された記憶領域（例えば、ＳＲＡＭ１６３上の所定領域や図示せぬバッファ等）にこれらの情報を追記することを意味している。
【００４３】
次に、表示部２６は既表示リストを更新する（ステップＳＡ４４）。具体的には、表示部２６は、該当する著作物ファイルが存在した場合には当該著作物ファイルの著作物識別情報領域ＯＩに格納された著作物識別情報を読み出し、これを既表示リストに追記する。逆に、該当する著作物ファイルが存在しない場合には表示部２６は既表示リストに何も追記しない。
以後、処理は図７のステップＳＡ２に戻る。
【００４４】
一方、対象ファイルが別名ファイルでない場合（すなわち対象ファイルが著作物ファイルの場合）には、表示部２６は対象ファイルの著作物識別情報領域ＯＩに格納された著作物識別情報を読み出し、この著作物識別情報が既表示リストに格納されているか否かを判定する（ステップＳＡ４５）。当該著作物識別情報が既表示リストに格納されていない場合、当該対象ファイルのタイトル領域ＯＴに格納されたタイトルと著作物ファイルが存在することを示す情報とを表示する（ステップＳＡ４６）。逆に、当該著作物識別情報が既表示リストに格納されている場合には表示部２６は何もしない。
【００４５】
以後、処理は図７のステップＳＡ２に戻る。なお、表示部２６は一覧表示処理において対象ファイルを特定する際に、携帯電話機ＭＳのファイル名順でファイルを抽出するファイルシステムを利用して候補を重複無く選択することができる。したがって、本実施形態では、対象ファイルが著作物ファイルの場合には既表示リストを更新せずに済む。
【００４６】
Ａ−４−２：削除処理
図９は携帯電話機ＭＳ内のファイルの削除処理の流れを示すフローチャートである。この図に示すように、指示入力部２１から削除指示が出力されると、削除部２５は、削除指示から特定される削除対象ファイルが著作物ファイルであるか否かを判定する（ステップＳＢ１）。この判定は著作物ファイル記憶部２２から当該削除対象ファイルを検索することで行われる。
【００４７】
著作物ファイル記憶部２２に削除対象ファイルが記憶されている場合には、削除部２５は削除対象ファイルの著作物識別情報領域ＯＩから著作物識別情報を読み出し、この情報を著作物識別情報領域ＡＩに格納している別名ファイルを別名ファイル記憶部２４から検索し（ステップＳＢ２）、該当する別名ファイルが別名ファイル記憶部２４に記憶されているか否かを判定する（ステップＳＢ３）。
【００４８】
該当する別名ファイルが別名ファイル記憶部２４に記憶されている場合には、削除部２５は当該別名ファイルを特定可能な情報（例えばファイル名）を出力し、この情報を受け取った表示部２６が当該別名ファイルの削除の可否をユーザに問い合わせるための情報を液晶ディスプレイ１５に表示させる（ステップＳＢ４）。この表示に対応して指示入力部２１から連鎖削除指示が出力されると（ステップＳＢ５）、削除部２５は当該別名ファイルを別名ファイル記憶部２４から削除し（ステップＳＢ６）、さらに対象ファイル（著作物ファイル）を著作物ファイル記憶部２２から削除して削除処理を終了する（ステップＳＢ７）。
【００４９】
一方、対象ファイルが著作物ファイルでない場合（ステップＳＢ１）、著作物ファイルであっても対応する別名ファイルが存在しない場合（ステップＳＢ３）、及び著作物ファイルであって対応する別名ファイルも存在するが当該別名ファイルに対して連鎖削除禁止指示が入力された場合（ステップＳＢ５）のいずれの場合であっても、処理はステップＳＢ７へ進む。すなわち、削除部２５は削除対象ファイルのみを削除して削除処理を終了する。
【００５０】
Ｂ：実施形態の動作
次に、本著作物配信システム１の動作について説明する。
【００５１】
Ｂ−１：著作物ファイル取得動作
図１のＩＰサーバＷ上の著作物ファイルを取得しようとするユーザが携帯電話機ＭＳを操作し、その旨のＧＥＴ要求を移動パケット通信網ＭＰＮへ送出すると、このＧＥＴ要求はインターネットＩＮＥＴを介してＩＰサーバＷに到達する。ＩＰサーバＷでは、当該ＧＥＴ要求指定された著作物ファイルが読み出され、この著作物ファイルを内包した応答がインターネットＩＮＥＴへ送出される。この応答は移動パケット通信網ＭＰＮを介して携帯電話機ＭＳへ伝送され、ここで受信される。上記応答を受信した携帯電話機ＭＳでは、当該応答から著作物ファイルが抽出され、著作物ファイル記憶部２２に記憶される。
【００５２】
Ｂ−２：別名設定動作
著作物に別名を設定しようとするユーザが携帯電話機ＭＳを操作して所望の著作物に所望の別名を設定する旨の指示を入力すると（例えば、ユーザは携帯電話機ＭＳに一覧表示処理を行わせて図３の著作物ファイル記憶部２２に記憶された著作物ファイルを確認し、その一覧から所望の著作物を選択することで別名を設定する著作物を特定し、さらに別名タイトルを入力することで当該指示を入力する）、指示入力部２１からその旨の別名設定指示が出力される。これにより、別名設定部２３によって図５に例示されたデータ構造の別名ファイルが生成され、別名ファイル記憶部２４に記憶される。
【００５３】
Ｂ−３：削除動作
所望の著作物ファイルを削除しようとするユーザが携帯電話機ＭＳを操作して所望のファイルを削除する旨の指示を入力すると（例えば、ユーザは携帯電話機ＭＳに一覧表示処理を行わせて著作物ファイル記憶部２２及び別名ファイル記憶部２４に記憶されたファイルを確認し、その一覧から所望のファイルを選択することで削除対象ファイルを特定し、さらに削除の旨の入力を行うことで当該指示を入力する）、指示入力部２１から削除指示が出力される。これにより、削除対象ファイルが削除される。
【００５４】
なお、削除対象ファイルが著作物ファイルであり、かつ当該著作物ファイルに対応した別名ファイルが存在する場合には、表示部２６により当該別名ファイルを示す情報が示され、この別名ファイルの削除の可否の判断がユーザに委ねられる。この判断の結果、指示入力部２１から連鎖削除指示が入力されれば当該別名ファイルが削除され、連鎖削除禁止指示が入力されれば当該別名ファイルは削除されない。後者の場合には、著作物ファイル記憶部２２に記憶されていない著作物に対応した別名タイトルを内包した別名ファイルが別名ファイル記憶部２４に残ることになる。
【００５５】
Ｂ−４：一覧表示動作
著作物を一覧しようとするユーザが携帯電話機ＭＳを操作してその旨の指示を入力すると、指示入力部２１から一覧表示指示が出力され、図７及び図８に示す一覧表示処理が行われる。ただし、ここでは、上述した各種処理の結果、著作物ファイル記憶部２２に記憶された著作物ファイルと別名ファイル記憶物２４に記憶された別名ファイルは図１０に示す関係となっているものとする。
【００５６】
図１０は、著作物ファイルと別名ファイル間の関係例を示す概念図であり、ファイル名が“00000025”及び“00000029”の各ファイルはいずれも著作物ファイルであり、各タイトル領域ＯＴにはそれぞれ、タイトル“yyyy”、“xxxx”が、各著作物識別情報領域ＯＩには著作物識別情報“9123454”、“6241479”が格納されていることを示している。また、図１０は、ファイル名が“00000026”及び“00000028”の各ファイルはいずれも別名ファイルであり、各別名タイトル領域ＡＴには別名タイトル“aaa1”、“aaa2”が、各著作物識別情報領域ＯＩには著作物識別情報“9123454”、“3210078”が格納されていることを示している。さらに、図１０は、ファイル名が“00000026”の別名ファイルはファイル名が“00000025”の著作物ファイルに対応付けられていることを示している。
【００５７】
このような状況下で一覧表示処理が行われると、まず、ファイル名が“00000026”の別名ファイルが対象ファイルとなり、当該ファイルに内包された別名タイトルと、対応する著作物ファイルが著作物ファイル記憶部２２に存在することを示す情報とが対応付けて表示されるとともに、図１１に示すように既表示リストに当該著作物ファイルに内包された著作物識別情報が追記される。なお、図１１は既表示リストの内容例を示す概念図である。
【００５８】
次に、ファイル名が“00000028”の別名ファイルが対象ファイルになると、当該ファイルに内包された別名タイトルと、対応する著作物ファイルが著作物ファイル記憶部２２に存在しないことを示す情報とが対応付けて表示される。この際、既表示リストは更新されない。
【００５９】
次に、ファイル名が“00000025”の著作物ファイルが対象ファイルになると、当該ファイルの著作物識別情報領域ＯＩに格納された著作物識別情報は既表示リスト内に存在するため（図１１参照）、次の著作物ファイル（すなわち、ファイル名が“00000029”の著作物ファイル）が対象ファイルとなる。
【００６０】
ファイル名が“00000029”の著作物ファイルが対象ファイルになると、当該ファイルの著作物識別情報領域ＯＩに格納された著作物識別情報は既表示リスト内に存在しないため（図１１参照）、当該ファイルに内包されたタイトルと著作物ファイルが著作物ファイル記憶部２２に存在することを示す情報とが対応付けて表示されるとともに、図１２に示すように既表示リストに当該ファイルに内包された著作物識別情報が追記される。なお、図１２は既表示リストの内容例を示す概念図である。
【００６１】
上述した動作の結果、図２の液晶ディスプレイ１５の表示領域には図１３に示すような画面ＳＣ１が表示される。この画面ＳＣには、文字列“aaa1”で表される著作物が携帯電話機ＭＳ内に存在すること、文字列“aaa2”で表される著作物が携帯電話機ＭＳ内に存在しないこと、並びに文字列“xxxx”で表される著作物が携帯電話機ＭＳ内に存在することが示されている。
【００６２】
Ｃ：変形例
本実施形態を図１４に示すように変形することも可能である。
図１４は本実施形態の変形例による携帯電話機の一部の機能構成を示すブロック図であり、図３と共通する部分には同一の符号を付してある。図１４に示す機能構成が図３に示すものと異なる点は、指示入力部２１及び別名設定部２３に代えて指示入力部２７及び別名設定部２８を有する点と、別名情報生成部２９を新たに備えた点である。
【００６３】
指示入力部２７が指示入力部２１と異なる点は、出力する別名設定指示には元になる著作物ファイルを特定する情報（例えばファイル名）のみが含まれている点である。また、別名設定部２８が別名設定部２３と異なる点は、指示入力部２７から別名設定指示が出力されると、当該指示によって特定される著作物ファイル内のタイトル領域ＯＴからタイトルを読み出し、これを別名情報生成部へ供給する点と、別名情報生成部２９から返送されてきた情報を別名タイトルとして使用する点である。
【００６４】
別名情報生成部２９は、別名設定部２８から供給されたタイトルと液晶ディスプレイ１５の表示領域のサイズと別名ファイル記憶部２４に記憶された別名ファイル内の別名タイトルに基づいて、別名タイトルとして使用するための情報を生成し、これを別名設定部２８へ返送する。具体的には、液晶ディスプレイ１５の表示領域の幅に応じた文字数の文字列をタイトルの先頭から抽出し、この文字列と同一の文字列を先頭に含む別名タイトルが既に設定されている場合には当該別名タイトルの末尾１桁の番号を調べ、最も大きな番号に１を加算した番号を、タイトルの先頭から抽出された文字列に追加して返送する情報を生成する。逆に、タイトルの先頭から抽出された文字列を先頭に含む別名タイトルが未だ設定されていない場合には、当該文字列の末尾に“1”を付加して返送する情報を生成する。
【００６５】
すなわち、本変形例による携帯電話機では、図１５に示すように、タイトルが“abcdefghijklmnopqrsta”の著作物を内包した著作物ファイル、タイトルが“abcdefghijklmnopqrstb”の著作物を内包した著作物ファイル、タイトルが“abcdefghijklmnopqrstc”の著作物を内包した著作物ファイルに対して、内包する別名タイトルが“abcdefghijkl1”の別名ファイル、内包する別名タイトルが“abcdefghijkl2”の別名ファイル、内包する別名タイトルが“abcdefghijkl3”の別名ファイルを生成している。
このようにすることによって、一覧表示時において、液晶ディスプレイ１５の表示領域には画面ＳＣ２が表示される。
【００６６】
なお、図１５において、別名ファイルを生成しない場合の液晶ディスプレイ１５の表示画面が画面ＳＣ３または画面ＳＣ４に示されている。前者はタイトルの末尾を強制的にカットした場合の画面であり、この画面に基づいてユーザが著作物を識別するのは不可能である。後者はタイトルをカットせずにスクロール表示させる場合の画面であり、ユーザはスクロール操作を行って初めて各著作物を識別することができる。
これに対して画面ＳＣ２では、ユーザはスクロール操作を行うことなく、著作物を識別することができる。
【００６７】
なお、ハードウェア構成において本変形例による携帯電話機が図２に示す携帯電話機ＭＳと異なる点は、液晶ディスプレイ１５の表示領域のサイズを示す情報がＲＯＭ１６２またはＳＲＡＭ１６３に記憶されている点のみであるため、本変形例による携帯電話機のハードウェア構成に関する説明を省略する。
【００６８】
Ｄ：補足
このように、本実施形態やその変形例によれば、別名ファイルを採用したことにより、著作権ファイルを改変することなく、ユーザによる著作物の識別を容易とすることができる。しかも、ファイルシステムを利用した構成であることから、データベース等の大規模なソフトウェアの開発・運用を必要としないという利点がある。
【００６９】
また、本実施形態やその変形例によれば、著作物ファイルの削除時に、これに対応した別名ファイルの削除をも可能としたことにより、ユーザによる著作物に関するファイルの管理を容易とすることができる。
また、本実施形態やその変形例では一つの著作物に対して複数の別名タイトルを設定することも可能である。例えば、一つの著作物に対して著作者の愛称からなる別名タイトルと、著作物の通称からなる別名タイトルを設定することもできる。この場合、一つの著作物ファイルに対して複数の別名ファイルが生成されるが、いずれの別名ファイルに基づいても対象の著作物ファイルを特定できる。
【００７０】
また、本実施形態やその変形例において、著作物ファイル記憶部２２に記憶されていない著作物に対応した別名タイトルを内包した別名ファイルが別名ファイル記憶部２４に存在する場合、当該別名ファイルには著作物識別情報が内包されていることから、ユーザはこの別名ファイルを用いて当該別名ファイルに対応した著作物をＩＰサーバＷから再取得することができる。すなわち、本実施形態によれば、別名ファイルを自機外の著作物の管理に使用することができる。
【００７１】
また、本実施形態の変形例によれば、ユーザが別名タイトルを入力することなく別名タイトルが重複しない別名ファイルを生成することができる。よって、ユーザの著作物ファイルの管理にかかる手間を削減することができる。
【００７２】
なお、上述の変形例においてはタイトルに基づいて別名タイトルを生成するようにしたが、著作者等の他の著作権情報に基づいて別名タイトルを生成するようにしてもよい。また、液晶ディスプレイ１５の表示領域を固定としたが、可変であってもよいことは言うまでもない。この場合、表示領域のサイズを示す情報はＳＲＡＭ１６３に記憶され、表示領域のサイズの変更に応じて当該情報が更新されることになる。さらに、表示領域のサイズのみならず、表示に使用する文字のポイント数など、他の要素に応じて別名タイトルのサイズを変更するようにしてもよい。
【００７３】
また、上述の実施形態及びその変形例においては著作物識別情報を採用したが、著作物を一意に特定可能な情報であればよく、例えば、著作権情報やその組合せを著作物識別情報に代えて採用してもよい。さらに、別名タイトルのデータ形式はテキスト形式に限らず、例えば画像データ形式であってもよい。要はユーザが著作物を識別することができるデータ形式であればよい。
【００７４】
さらに、各実施形態においては携帯電話機に適用した例を挙げたが、本発明は大きな表示領域の確保が困難な携帯機器に好適に適用可能であり、さらに言えば、表示領域の大きさに限定されない任意の端末装置に適用可能である。もちろん、著作物データの配布経路は任意であり、移動通信網経由に限定されるものではない。
【００７５】
【発明の効果】
以上説明したように、本発明によれば、著作物ファイルに対応した別名ファイルを設けることができる。この別名ファイルは任意の別名情報を内包可能であるため、この別名ファイルを介して著作物にアクセスするようにすれば、著作物ファイルを改変することなく、著作物ファイルの管理を容易とすることができる。
【００７６】
また、著作物ファイルの削除時に、当該著作物ファイルに対応した別名ファイルを残しておけば、装置外の著作物ファイルの管理が可能となる。
さらに、著作物ファイルの削除時に、当該著作物ファイルに対応した別名ファイルを削除するようにすれば、別名ファイルの削除にかかる手間を削減することができる。
【００７７】
また、著作物ファイル内の著作権情報に基づいて別名情報を生成するようにすれば、ユーザが別名情報を設定する手間を削減することができる。
さらに、表示領域に応じたサイズの別名情報を生成するようにすれば、著作物の一覧性を向上させることできる。
【図面の簡単な説明】
【図１】  本発明の一実施形態による携帯電話機ＭＳを用いた著作物配信システム１の構成を示すブロック図である。
【図２】  同携帯電話機ＭＳのハードウェア構成を示すブロック図である。
【図３】  同携帯電話機ＭＳの一部の機能構成を示すブロック図である。
【図４】  同携帯電話機ＭＳに管理される著作物ファイルの論理的なデータ構造例を示す概念図である。
【図５】  同携帯電話機ＭＳに使用される別名ファイルの論理的なデータ構造例を示す概念図である。
【図６】  同著作物ファイルと同別名ファイルとの対応関係の一例を示す図である。
【図７】  同携帯電話機ＭＳによる著作物の一覧表示処理の流れを示すフローチャートである。
【図８】  同一覧表示処理から呼び出される対象ファイル処理の流れを示すフローチャートである。
【図９】  同携帯電話機ＭＳ内のファイルの削除処理の流れを示すフローチャートである。
【図１０】  同携帯電話機ＭＳ内の著作物ファイルと同別名ファイル間の関係例を示す概念図である。
【図１１】  同携帯電話機ＭＳ内の既表示リストの内容例を示す概念図である。
【図１２】  同携帯電話機ＭＳ内の既表示リストの内容例を示す概念図である。
【図１３】  同携帯電話機ＭＳによる画面表示例を示す図である。
【図１４】  同実施形態の変形例による携帯電話機の一部の機能構成を示すブロック図である。
【図１５】  同実施形態による携帯電話機ＭＳの動作と同変形例による携帯電話機の動作の差異を説明するための図である。
【符号の説明】
２１，２７…指示入力部、２２…著作物ファイル記憶部、２３，２８…別名設定部、２４…別名ファイル記憶部、２５…削除部、２６…表示部、２９…別名情報生成部
【図１】
0003808673.tif 000002
【図２】
0003808673.tif 000003
【図３】
0003808673.tif 000004
【図４】
0003808673.tif 000005
【図５】
0003808673.tif 000006
【図６】
0003808673.tif 000007
【図７】
0003808673.tif 000008
【図８】
0003808673.tif 000009
【図９】
0003808673.tif 000010
【図１０】
0003808673.tif 000011
【図１１】
0003808673.tif 000012
【図１２】
0003808673.tif 000013
【図１３】
0003808673.tif 000014
【図１４】
0003808673.tif 000015
【図１５】
0003808673.tif 000016